(57)【特許請求の範囲】
【請求項１】
第１ユーザ端末から位置情報及び音声データの識別情報を取得する第１取得手段と、
前記第１取得手段によって取得された位置情報及び音声データの識別情報を対応付けて記憶する記憶手段と、
第２ユーザ端末から位置情報を取得する第２取得手段と、
前記第２取得手段によって取得された位置情報が示す位置を基準とした範囲に含まれる位置を示す前記記憶手段に記憶された位置情報に対応付けて記憶されている前記識別情報の音声データを前記第２ユーザ端末に提供するための提供処理を行う提供手段と、
を備え、
前記第１取得手段は、前記第１ユーザ端末を使用するユーザの生体情報を取得し、
前記第２取得手段は、前記第２ユーザ端末を使用するユーザの生体情報を取得し、
前記提供手段は、前記第１取得手段によって取得された生体情報と前記第２取得手段によって取得された生体情報との類似度に応じて前記提供処理を行う
ことを特徴とする音声データ提供装置。
【請求項２】
第１ユーザ端末から位置情報及び音声データの識別情報を取得する第１取得手段と、
前記第１取得手段によって取得された位置情報及び音声データの識別情報を対応付けて記憶する記憶手段と、
第２ユーザ端末から位置情報を取得する第２取得手段と、
前記第２取得手段によって取得された位置情報が示す位置を基準とした範囲に含まれる位置を示す前記記憶手段に記憶された位置情報に対応付けて記憶されている前記識別情報の音声データを前記第２ユーザ端末に提供するための提供処理を行う提供手段と、
を備え、
前記提供手段は、音量を制御した前記音声データを前記第２ユーザ端末に提供するための処理を行う
ことを特徴とする音声データ提供装置。
【請求項３】
前記第１取得手段は、前記識別情報の音声データを提供するときの提供条件を取得し、
前記提供手段は、前記第１取得手段により取得された提供条件が満たされる場合に、前記第２ユーザ端末に対して前記提供処理を行う
ことを特徴とする請求項１又は請求項２記載の音声データ提供装置。
【請求項４】
前記第１取得手段は、音声データの提供対象となる前記第２ユーザ端末を使用するユーザに関する前記提供条件を取得する
ことを特徴とする請求項３記載の音声データ提供装置。
【請求項５】
前記第１取得手段は、前記識別情報の音声データを提供する時期に関する前記提供条件を取得する
ことを特徴とする請求項３又は４記載の音声データ提供装置。
【請求項６】
前記第１取得手段は、前記第１ユーザ端末が移動した経路を示す複数の位置情報を取得し、
前記提供手段は、前記第２取得手段によって取得された位置が前記経路に含まれる場合に前記提供処理を行う
ことを特徴とする請求項１〜５のいずれか１項に記載の音声データ提供装置。
【請求項７】
前記第２取得手段は、前記第２ユーザ端末が移動した経路を示す複数の位置情報を取得し、
前記提供手段は、前記第１取得手段によって取得された複数の位置情報が示す経路と、前記第２取得手段によって取得された複数の位置情報が示す経路とが所定の度合いで一致する場合に前記提供処理を行う
ことを特徴とする請求項６記載の音声データ提供装置。
【請求項８】
前記第２取得手段によって取得された位置情報が示す位置と前記記憶手段に記憶された位置情報が示す位置との関係に応じて、前記第２ユーザ端末を使用するユーザに対して、前記記憶手段に記憶された位置情報が示す位置への案内を行う案内手段を備える
ことを特徴とする請求項１〜７のいずれか１項に記載の音声データ提供装置。
【請求項９】
前記提供手段は、前記記憶手段に記憶された複数の位置情報のうち決められた複数の位置情報が前記第２ユーザ端末から取得されると、前記第２ユーザ端末を使用するユーザに対して特典を与えるための情報を当該第２ユーザ端末に提供する
ことを特徴とする請求項１〜８のいずれか１項に記載の音声データ提供装置。
【請求項１０】
前記提供手段は、前記記憶手段に前記位置情報及び前記識別情報が記憶されてから前記音声データを前記第２ユーザ端末に提供するための前記提供処理がなされるまでの期間に応じて当該音声データを変化させる
ことを特徴とする請求項１〜９のいずれか１項に記載の音声データ提供装置。
【請求項１１】
前記提供手段は、音量を制御した前記音声データを前記第２ユーザ端末に提供するための処理を行う
ことを特徴とする請求項１に記載の音声データ提供装置。
【請求項１２】
第１ユーザ端末から位置情報及び音声データの識別情報を取得する第１取得工程と、
前記第１取得工程によって取得された位置情報及び音声データの識別情報を対応付けて記憶手段に記憶する記憶工程と、
第２ユーザ端末から位置情報を取得する第２取得工程と、
前記第２取得工程によって取得された位置情報が示す位置を基準とした範囲に、前記記憶手段に記憶された位置情報が示す位置が含まれているか判定する判定工程と、
前記範囲に前記記憶手段に記憶された位置情報が示す位置が含まれている場合は、前記記憶手段に記憶された位置情報に対応付けられている前記音声データの識別情報の音声データを前記第２ユーザ端末に提供する提供工程と、
を備え、
前記第１取得工程は、前記第１ユーザ端末を使用するユーザの生体情報を取得し、
前記第２取得工程は、前記第２ユーザ端末を使用するユーザの生体情報を取得し、
前記提供工程は、前記第１取得工程によって取得された生体情報と前記第２取得工程によって取得された生体情報との類似度に応じて前記音声データを前記第２ユーザ端末に提供する
ことを特徴とする音声データ提供方法。
【請求項１３】
第１ユーザ端末から位置情報及び音声データの識別情報を取得する第１取得工程と、
前記第１取得工程によって取得された位置情報及び音声データの識別情報を対応付けて記憶手段に記憶する記憶工程と、
第２ユーザ端末から位置情報を取得する第２取得工程と、
前記第２取得工程によって取得された位置情報が示す位置を基準とした範囲に、前記記憶手段に記憶された位置情報が示す位置が含まれているか判定する判定工程と、
前記範囲に前記記憶手段に記憶された位置情報が示す位置が含まれている場合は、前記記憶手段に記憶された位置情報に対応付けられている前記音声データの識別情報の音声データを前記第２ユーザ端末に提供する提供工程と、
を備え、
前記提供工程は、音量を制御した前記音声データを前記第２ユーザ端末に提供するための処理を行う
ことを特徴とする音声データ提供方法。
【請求項１４】
前記第１取得工程は、前記識別情報の音声データを提供するときの提供条件を取得し、
前記第１取得工程により取得された提供条件が満たされる場合に、前記第２ユーザ端末に対して前記提供工程を行う
ことを特徴とする請求項１２又は請求項１３記載の音声データ提供方法。
【請求項１５】
前記提供条件は、前記音声データの提供対象となる前記第２ユーザ端末を使用するユーザに関する条件である
ことを特徴とする請求項１４記載の音声データ提供方法。
【請求項１６】
前記提供条件は、前記識別情報の音声データを提供する時期に関する条件である
ことを特徴とする請求項１４又は１５記載の音声データ提供方法。
【請求項１７】
前記第１取得工程は、前記第１ユーザ端末が移動した経路を示す複数の位置情報を取得し、
前記提供工程は、前記第２取得工程によって取得された位置が前記経路に含まれる場合に前記音声データを前記第２ユーザ端末に提供する
ことを特徴とする請求項１２〜１６のいずれか１項に記載の音声データ提供方法。
【請求項１８】
前記第２取得工程は、前記第２ユーザ端末が移動した経路を示す複数の位置情報を取得し、
前記第１取得工程によって取得された複数の位置情報が示す経路と、前記第２取得工程によって取得された複数の位置情報が示す経路とが所定の度合いで一致する場合に前記提供工程を行う
ことを特徴とする請求項１７記載の音声データ提供方法。
【請求項１９】
前記第２取得工程によって取得された位置情報が示す位置と前記記憶手段に記憶された位置情報が示す位置との関係に応じて、前記第２ユーザ端末を使用するユーザに対して、前記記憶手段に記憶された位置情報が示す位置への案内を行う案内工程をさらに備える
ことを特徴とする請求項１２〜１８のいずれか１項に記載の音声データ提供方法。
【請求項２０】
前記提供工程は、前記記憶手段に記憶された複数の位置情報のうち決められた複数の位置情報が前記第２ユーザ端末から取得されると、前記第２ユーザ端末を使用するユーザに対して特典を与えるための情報を当該第２ユーザ端末に提供する
ことを特徴とする請求項１２〜１９のいずれか１項に記載の音声データ提供方法。
【請求項２１】
前記提供工程は、前記記憶手段に前記位置情報及び前記識別情報が記憶されてから前記音声データを前記第２ユーザ端末に提供するまでの期間に応じて当該音声データを変化させる
ことを特徴とする請求項１２〜２０のいずれか１項に記載の音声データ提供方法。
【請求項２２】
前記提供工程は、音量を制御した前記音声データを前記第２ユーザ端末に提供するための処理を行う
ことを特徴とする請求項１２に記載の音声データ提供方法。
【発明の詳細な説明】
【技術分野】
【０００１】
本発明は音声を登録及び提供する技術に関する。
【背景技術】
【０００２】
ユーザの位置に応じて音声を再生する技術が知られている。例えば特許文献１には、ユーザが過去に楽曲を再生したことがある場所で自動的に同じ楽曲を再生することが開示されている。
【先行技術文献】
【特許文献】
【０００３】
【特許文献１】日本国特開２００６−２０１４７８号公報
【発明の概要】
【発明が解決しようとする課題】
【０００４】
これに対し、本発明は、複数のユーザ間において位置に応じた音声再生を実現することを目的とする。
【課題を解決するための手段】
【０００５】
上記課題を解決するため、本発明は、第１ユーザ端末から位置情報及び音声データの識別情報を取得する第１取得手段と、前記第１取得手段によって取得された位置情報及び音声データの識別情報を対応付けて記憶する記憶手段と、第２ユーザ端末から位置情報を取得する第２取得手段と、前記第２取得手段によって取得された位置情報が示す位置を基準とした範囲に含まれる位置を示す前記記憶手段に記憶された位置情報に対応付けて記憶されている前記識別情報の音声データを前記第２ユーザ端末に提供するための提供処理を行う提供手段とを備えることを特徴とする音声データ提供装置を提供する。【０００６】
また、本発明は、第１ユーザ端末から位置情報及び音声データの識別情報を取得する第１取得工程と、前記第１取得工程によって取得された位置情報及び音声データの識別情報を対応付けて記憶手段に記憶する記憶工程と、第２ユーザ端末から位置情報を取得する第２取得工程と、前記第２取得工程によって取得された位置情報が示す位置を基準とした範囲に、前記記憶手段に記憶された位置情報が示す位置が含まれているか判定する判定工程と、前記範囲に前記記憶手段に記憶された位置情報が示す位置が含まれている場合は、前記記憶手段に記憶された位置情報に対応付けられている前記音声データの識別情報の音声データを前記第２ユーザ端末に提供する提供工程と、を備えた音声データ提供方法を提供する。
【発明の効果】
【０００７】
本発明によれば、複数のユーザ間において位置に応じた音声再生を実現することができる。
【図面の簡単な説明】
【０００８】
【図１】図１は、本発明の一実施形態に係る音声再生システムの全体構成を示す図である。
【図２】図２は、音声再生システムにおける第1ユーザ端末のハードウェア構成を示すブロック図である。
【図３】図３は、音声再生システムにおけるサーバ装置のハードウェア構成を示すブロック図である。
【図４】図４は、サーバ装置が記憶しているユーザ管理テーブルの一例を示す図である。
【図５】図５は、サーバ装置が記憶している音声登録テーブルの一例を示す図である。
【図６】図６は、音声再生システムにおける各装置の機能構成を示すブロック図である。
【図７】図７は、音声登録時における音声再生システムの動作の一例を示すシーケンス図である。
【図８】図８は、音声再生時における音声再生システムの動作の一例を示すシーケンス図である。
【図９】図９は、第２ユーザ端末の移動経路と音声データの登録位置との関係の一例を示す模式図である。
【発明を実施するための形態】
【０００９】
図１は、本発明の一実施形態である音声再生システムの全体構成を示す図である。この音声再生システムにおいて、或るユーザ（以下、登録ユーザという）が任意の位置を指定し、その位置に対して任意の音声データを登録する。そして、別のユーザ（以下、再生ユーザという）が登録された位置に行くと、その位置に登録された音声データが再生され、再生ユーザはその音声を聴くことができる。ここで、登録ユーザが音声データを登録するときに、その音声データを提供する条件（以下、提供条件という）を指定することができ、その提供条件が満たされる場合にのみ音声データが再生されるようになっている。この提供条件は、音声データを提供される対象となる再生ユーザに関する条件や、音声データを提供するときの時期に関する条件などである。このような仕組みにより、登録ユーザは所望する音声を自身が所望する位置で他のユーザに聴いてもらうことに面白みを感じることができ、一方、再生ユーザは自身の位置で他のユーザが意図的に登録した音声を聴くことに面白みを持つなど、登録ユーザと再生ユーザとが時間を隔てながらも音声を通じて精神的なつながりや関係性を持つことができる。
【００１０】
図１に示すように、音声再生システムは、音声データの登録及び提供に関する処理を行うサーバ装置１００と、登録ユーザが使用する第１ユーザ端末２００ａと、再生ユーザが使用する第２ユーザ端末２００ｂとを備える。サーバ装置１００、第１ユーザ端末２００ａ及び第２ユーザ端末２００ｂはネットワーク９００を介して通信可能に接続されている。ネットワーク９００は、単独の通信ネットワークに限らず、通信方式が異なる複数の通信ネットワークを相互接続したものであってもよく、例えばインターネットや移動通信網等の有線又は無線の通信ネットワークである。図１では、サーバ装置１００、第１ユーザ端末２００ａ及び第２ユーザ端末２００ｂを１つずつ示しているが、これらはそれぞれ複数であってもよい。
【００１１】
図２は、第１ユーザ端末２００ａのハードウェア構成を示すブロック図である。第１ユーザ端末２００ａは、例えばスマートホンやタブレット或いは各種のウェアラブル端末などの通信可能なコンピュータであり、音声登録装置として機能する。第１ユーザ端末２００ａは、例えばＣＰＵ（Central Processing Unit）などの演算処理装置とＲＯＭ（Read Only Memory）及びＲＡＭ（Random Access Memory）などの記憶装置とを備えた制御部２１ａと、例えばアンテナや通信回路を含みネットワーク９００を介して通信を行う通信部２２ａと、例えばＥＥＰＲＯＭ（Electronically Erasable and Programmable ROM）やフラッシュメモリなどの記憶部２３ａと、例えばスピーカ又はイヤホン用端子やアンプなどを含み音声データを再生して音声出力を行う再生部２４ａと、例えばＧＰＳ（Global Positioning System）によって測位を行う測位部２５ａと、例えばキーやタッチセンサなどの操作子が設けられた操作部及び例えば液晶パネルや液晶駆動回路などの表示部を含むＵＩ（User Interface）部２６ａとを備えている。
【００１２】
第２ユーザ端末２００ｂも、第１ユーザ端末２００ａと同様に、例えばスマートホンやタブレット或いは各種のウェアラブル端末などの通信可能なコンピュータであり、第１ユーザ端末２００と同様の構成を備えている。つまり、第２ユーザ端末２００ｂは、制御部２１ｂ、通信部２２ｂ、記憶部２３ｂ、再生部２４ｂ、測位部２５ｂ及びＵＩ部２６ｂ（いずれも図示略）を備え、音声再生装置として機能する。なお、第１ユーザ端末２００ａにおいて再生部２４ａは必須の構成ではないが、第１ユーザ端末２００ａが、登録ユーザによって用いられる音声登録として機能するとともに、再生ユーザによって用いられる音声再生装置としても機能するときには、再生部２４ｂが必須の構成となる。
【００１３】
図３は、サーバ装置１００のハードウェア構成を示すブロック図である。サーバ装置１００は音声データ提供装置として機能するコンピュータであり、制御部１１と、通信部１２と、記憶部１３とを備えている。制御部１１は、ＣＰＵ等の演算装置と、ＲＯＭ及びＲＡＭなどの記憶装置とを備えている。ＣＰＵは、ＲＡＭをワークエリアとして用いてＲＯＭや記憶部１３に記憶されたプログラムを実行することによって、サーバ装置１００の各部の動作を制御する。通信部１２はネットワーク９００に接続されており、ネットワーク９００を介して通信を行う。記憶部１３は、例えばハードディスク等の記憶装置であり、制御部１１が用いるデータ群やプログラム群を記憶している。具体的には、記憶部１３は、登録された複数の音声データを含む音声データベース（以下、データベースをＤＢと称す）と、登録された音声データに関する情報が記述された音声登録テーブルと、登録ユーザ及び再生ユーザを含むユーザ群に関する情報が記述されたユーザ管理テーブルとを記憶している。
【００１４】
図４に示すように、ユーザ管理テーブルにおいては、各ユーザを識別する識別情報であるユーザＩＤと、そのユーザの属性群（例えばユーザの性別、年齢、興味など）とが対応付けられている。ユーザの属性群はそのユーザによって事前に登録又は申告されたものである。
【００１５】
図５に示すように、音声登録テーブルにおいては、登録ユーザのユーザＩＤである登録ユーザＩＤと、音声データが登録された時期を示す登録時期と、音声データが登録された位置を示す登録位置と、登録された音声データを識別する識別情報である登録音声ＩＤと、音声データの提供条件とが対応付けられている。図５の例では、例えば登録ユーザＩＤ「Ｕ００１２」の登録ユーザによって登録時期「yyyyy:mm:dd:hh:mm2」に「Ｎ２Ｅ２」の登録位置に対して登録音声ＩＤ「Ｍ０００００２」の音声データが登録されている。その音声データは、「yyyy:mm:dd:hh:mm21まで」の期間、「１０−２５歳」の「女性」で「自然」に興味があるユーザに提供される。なお、登録音声ＩＤは、例えば、音声データベースに含まれる各音声データのファイル名である。また、提供条件の「−」は、条件の内容が無いことを意味している。
【００１６】
図６は、第１ユーザ端末２００ａ、第２ユーザ端末２００ｂ及びサーバ装置１００の機能構成を示す図である。第１ユーザ端末２００ａの指定部２０１ａは、登録ユーザが位置及び音声データの識別情報を指定する操作を受け付ける。さらに、指定部２０１ａは、音声データを提供するときの提供条件を指定する操作を受け付ける。通知部２０２ａは、登録ユーザにより指定された位置を示す位置情報及び音声データの識別情報を、登録ユーザのユーザＩＤとともにサーバ装置１００に通知する。さらに、通知部２０２ａは、登録ユーザにより指定された提供条件をサーバ装置１００に通知する。
【００１７】
サーバ装置１００の第１取得部１０１は、第１ユーザ端末２００ａから通知されてくる位置情報、音声データの識別情報、提供条件及びユーザＩＤを取得する。記憶部１０２は、第１取得部１０１によって取得された位置情報、音声データの識別情報、提供条件及びユーザＩＤを対応付けて記憶する。
【００１８】
第２ユーザ端末２００ｂの指示部２０１ｂは、再生ユーザが音声データの再生を指示する操作を受け付ける。通知部２０２ｂは、第２ユーザ端末２００ｂの位置を示す位置情報を、再生ユーザのユーザＩＤとともにサーバ装置１００に通知する。
【００１９】
サーバ装置１００の第２取得部１０３は、第２ユーザ端末２００ｂから通知されてくる位置情報及びユーザＩＤを取得する。提供部１０４は、第１取得部１０１により取得された提供条件が満たされる場合に、第２取得部１０３によって取得された位置情報が示す位置を基準とした所定の範囲に含まれる位置を示す記憶部１０２の記憶された位置情報に対応付けて記憶されている識別情報の音声データを第２ユーザ端末２００ｂに提供するための提供処理を行う。
【００２０】
第２ユーザ端末２００ｂの再生部２０３ｂは、提供部１０４の提供処理によって提供される音声データを再生して音声を出力する。
【００２１】
上述した第１ユーザ端末２００ａの指定部２０１ａは図２に示したＵＩ部２６ａによって実現され、通知部２０２ａは図２に示した通信部２２ａ及び測位部２５ａによって実現される。サーバ装置１００の第１取得部１０１は図３に示した通信部１２によって実現され、記憶部１０２は図３に示した記憶部１３によって実現され、第２取得部１０３は図３に示した通信部１２によって実現され、提供部１０４は図３に示した制御部１１及び通信部１２によって実現される。第２ユーザ端末２００ｂの指示部２０１ｂはＵＩ部２６ｂによって実現され、通知部２０２ｂは通信部２２ｂ及び測位部２５ｂによって実現され、再生部２０３ｂは再生部２４ｂによって実現される。
【００２２】
［動作］
次に、図７，８を参照して本実施形態の動作を説明する。まず音声データの登録時（図７）には、登録ユーザは自身が望む位置において第１ユーザ端末２００ａを操作し、登録対象となる音声データの音声ＩＤを指定するとともに、その音声データの提供条件を指定する。第１ユーザ端末２００ａの指定部２０１ａは、これらの操作を受け付ける（ステップＳ１１）。音声データの指定は、例えば音声データのリストから登録ユーザが所望するものを選択するとか、ユーザが音声データの楽曲名を直接入力するなどの方法で行われる。また、提供条件の指定についても、例えば提供条件のリストから登録ユーザが所望するものを選択するとか、ユーザが提供条件の内容を直接入力するなどの方法で行われる。例えば登録ユーザは、海岸に居るときに自身と同じような年齢で同じ性別のユーザに海に関する楽曲を聴いてもらいたいと思ったときには、そのようなユーザの属性を提供条件にて指定すればよい。
【００２３】
次に、第１ユーザ端末２００ａの通知部２０２ａは、測位を行って第１ユーザ端末２００ａの位置を示す位置情報を生成して（ステップＳ１２）、この位置情報、音声データの音声ＩＤ及び提供条件を、登録ユーザのユーザＩＤとともにサーバ装置１００に通知する（ステップＳ１３）。登録ユーザのユーザＩＤは第１ユーザ端末２００ａの記憶部２３ａに予め記憶されたものであってもよいし、ユーザが音声再生システムにログインするときに第１ユーザ端末２００ａに入力したものであってもよい。
【００２４】
サーバ装置１００の第１取得部１０１は、第１ユーザ端末２００ａの通知部２０２ａから通知された、位置情報、音声ＩＤ、提供条件及びユーザＩＤを取得する。記憶部１０２は、これらを登録位置、登録音声ＩＤ、提供条件及び登録ユーザＩＤとして互いに対応付けた状態で音声登録テーブルに登録する（ステップＳ１４）。このとき記憶部１０２は、現在日時を登録時期として音声登録テーブルに登録する。
【００２５】
次に音声データの再生時において（図８）、再生ユーザは自身が望む位置において第２ユーザ端末２００ｂを操作し、音声データの再生を指示する。第２ユーザ端末２００ｂの指示部２０１ｂはこの操作を受け付ける（ステップＳ２１）。この操作に応じて、第２ユーザ端末２００ｂの通知部２０２ｂは、測位を行って第２ユーザ端末２００ｂの位置を示す位置情報を生成し（ステップＳ２２）、この位置情報を再生ユーザのユーザＩＤとともにサーバ装置１００に通知する（ステップＳ２３）。再生ユーザのユーザＩＤは第２ユーザ端末２００ｂの記憶部２３ｂに予め記憶されたものであってもよいし、再生ユーザがこの音声再生システムにログインするときに第２ユーザ端末２００ｂに入力したものであってもよい。
【００２６】
サーバ装置１００の第２取得部１０３は、第２ユーザ端末２００ｂの通知部２０２ｂから通知された位置情報及びユーザＩＤを取得する。サーバ装置１００の提供部１０４は、第２取得部１０３によって取得された位置情報が示す位置と音声登録テーブルに登録されている登録位置とを比較して、第２取得部１０３によって取得された位置を基準とした範囲に含まれる登録位置に対応付けて記憶されている登録音声ＩＤがあるか否かを判断する（ステップＳ２４）。図５の例で説明すると、提供部１０４は、第２取得部１０３によって取得された位置情報（「Ｎ０Ｅ０」とする）が示す位置を中心として例えば半径１００ｍ（閾値）の範囲内に、音声登録テーブルに登録されている複数の登録位置のうちいずれかが含まれていれば、その登録位置に対応付けて記憶されている登録音声ＩＤがあると判断し、その登録音声ＩＤを特定する。ここでは、位置情報「Ｎ０Ｅ０」が示す位置を中心とした半径１００ｍの範囲内に登録位置「Ｎ２Ｅ２」が含まれており、登録音声ＩＤ「Ｍ０００００２」が特定されたとする。
【００２７】
そして、提供部１０４は、音声登録テーブルにおいて上記登録位置に対応付けられている提供条件を参照し、その提供条件が満たされるか否かを判断する（ステップＳ２５）。例えば、「yyyy:mm:dd:hh:mm21」（時期）が経過する前に第２取得部２０３によって取得された再生ユーザのユーザＩＤが「Ｕ０００２」である場合、図４のユーザ管理テーブルにおいてそのユーザＩＤ「Ｕ０００２」に対応するユーザは「女性」（性別）、「２３歳」（年齢）、「海」（興味）に興味があるから、図５の登録ユーザＩＤ「Ｕ００１２」が登録した登録音声ＩＤ「Ｍ０００００２」の提供条件である「１０−２５歳」（年齢）、「女性」（性別）、「yyyy:mm:dd:hh:mm21まで」（時期）及び「自然」（興味）に一致する。
【００２８】
提供部１０４は、提供条件が満たされる場合には、ステップＳ２４にて特定した登録音声ＩＤの音声データを第２ユーザ端末２００ｂに提供するための処理を行う（ステップＳ２６）。提供部１０４は、例えば、音声ＤＢにおいて登録音声ＩＤの音声データが記憶されているアドレスをＵＲＬ(Uniform Resource Locator)形式で表記した画面データを第２ユーザ端末２００ｂに送信する。
【００２９】
第２ユーザ端末２００ｂにおいて、再生ユーザがこの画面におけるＵＲＬを選択すると、サーバ装置１００の提供部１０４は、そのＵＲＬに対応する音声データを記憶部１３から読み出して第２ユーザ端末２００ｂにネットワーク９００を介して送信する。第２ユーザ端末２００ｂの再生部２０３ｂは、この音声データを取得し、これを再生して音声を出力する（ステップＳ２７）。このようにして、再生ユーザは、自身がいる位置で過去に登録ユーザが登録した音声を聴くことができる。
【００３０】
図９において、「×」は登録位置であり、その登録位置を囲む円形の図形は登録位置からの所定範囲（例えば半径１００ｍの範囲）を示している。図９の例では、再生ユーザＰは、矢印Ｍに沿って移動するとき、提供条件を充足する限り、位置ＡＲ００５，ＡＲ００４，ＡＲ０１３において過去に登録ユーザが登録した音声を聴くことができる。
【００３１】
以上説明した実施形態によれば、複数のユーザ間において位置に応じた音声再生を実現することができる。登録ユーザは所望する音声を自身が所望する位置で他のユーザに聴いてもらうことに面白みを感じることができ、一方、再生ユーザは自身の位置で他のユーザが意図的に登録した音声を聴くことに面白みを持つなど、登録ユーザと再生ユーザとが時間を隔てながらも音声を通じて共感し合うことで精神的なつながりや関係性を持つことが可能となる。
【００３２】
［変形例］
上述した実施形態は次のような変形が可能である。また、以下の変形例を互いに組み合わせて実施してもよい。
[変形例１]
登録位置の指定は、単一の位置情報による指定に限らず、複数の位置情報からなる経路としての指定も可能である。この場合、サーバ装置１００の第１取得部１０１は、第１ユーザ端末２００ａが移動した経路を示す複数の位置情報を取得し、提供部１０４は、第２取得部１０３によって取得された位置が上記経路に含まれる場合に提供処理を行う。さらに、第２取得部１０３は、第２ユーザ端末２００ｂが移動した経路を示す複数の位置情報を取得し、提供部１０４は、第１取得部１０１によって取得された複数の位置情報が示す経路と、第２取得部１０３によって取得された複数の位置情報が示す経路とが所定の一致度である場合（例えば５０ｍ以上双方の経路が一致するなど）に提供処理を行ってもよい。
【００３３】
[変形例２]
サーバ装置１００は、再生ユーザの位置と登録位置との位置関係に応じて、再生ユーザに対して登録位置への案内を行う案内部を備えるようにしてもよい。この案内部は、サーバ装置１００の制御部１１及び通信部１２によって実現される。例えば、案内部は、第２取得部１０３によって取得された位置情報が示す位置と音声登録テーブルに登録されている登録位置とを比較して、第２取得部１０３によって取得された位置情報が示す位置から登録位置に至るまでの距離が閾値以下のときに、その距離や再生ユーザから見た登録位置への方向などを第２ユーザ端末２００ｂに通知し、第２ユーザ端末２００ｂはこれらを音声や表示によって報知する。このとき、登録位置において聞くことができる登録音声の属性（例えば楽曲名等）を音声や表示によって報知してもよい。これにより、再生ユーザは、登録された音声を聴くことが可能な場所を知ることができる。また、登録ユーザから見れば、自身が登録した音声を聴くことが可能な場所へと多数の再生ユーザを誘導することが可能となる。
【００３４】
[変形例３]
サーバ装置１００の提供部１０４は、記憶部１０２に記憶された複数の登録位置のうち決められた複数の登録位置が第２ユーザ端末２００ｂから取得されると（つまり再生ユーザが決められた複数の登録位置を通過すると）、再生ユーザに対してなんらかの特典を与えるための情報を第２ユーザ端末２００ｂに提供するようにしてもよい。ここでいう特典とは、どのようなものであってもよいが、例えば金銭の代替として利用可能な価値情報や、限定されたユーザにのみ提供される音声データなどである。
【００３５】
[変形例４]
サーバ装置１００の提供部１０４は、音声データが記憶部１０２によって記憶されてからその音声データを第２ユーザ端末２００ｂに提供するための提供処理がなされるまでの期間に応じて、その音声データを変化させてもよい。提供部１０４は、例えば音声データの登録時期からその音声データの提供処理がなされるまでの期間に応じて（例えばその期間が閾値の一例としての２４時間を経過する度に）、音声データの音声品質を劣化させるとか、音声データに設定される音量パラメータを小さくする。これにより、再生ユーザは音声データが登録されてからの期間を直観的に感じることが可能となる。
【００３６】
[変形例５]
サーバ装置１００の提供部１０４は、音量を制御した音声データを第２ユーザ端末２００ｂに提供するための提供処理を行ってもよい。例えば提供部１０４は、再生ユーザの位置と登録位置との距離に応じた音量の音声を再生ユーザに提供するようにしてもよい。具体的には、図９に示した「×」の登録位置から半径１００ｍの範囲において、第２ユーザ端末２００ｂの位置が登録位置に近いほど、音声データに含まれる音量パラメータを大きくする。また、例えば提供部１０４は、再生ユーザの属性と音声データに対応付けられた提供条件との関連度に応じた音量の音声を再生ユーザに提供するようにしてもよい。具体的には、提供部１０４は、音声登録テーブルにおける提供条件のうち興味に関するものと、ユーザ管理テーブルにおける再生ユーザの属性群とを読み出し、これら提供条件（興味）と再生ユーザの属性とを比較して相互の関連度を算出し、その関連度の大きさに基づいて音声データの音量を制御する。例えば、提供部１０４は、音声データに含まれる音量パラメータについて、関連度が大きいと音量を大きくし、関連度が小さいと音量を小さくするという設定を行う。
【００３７】
[変形例６]
再生ユーザに関する提供条件は、年齢、性別、興味に限らず、再生ユーザを限定する条件であればどのようなものでもよい。例えば再生ユーザの生体情報を提供条件に含めてもよい。仮に遺伝子情報を提供条件とすれば、登録ユーザの子孫（登録時にはまだ生まれていない子孫を含む）の遺伝子が提供条件に含まれる遺伝子と所定の閾値以上の類似度である場合に、その子孫を再生ユーザとして音声を提供することが可能となる。つまり、第１取得部１０１は、第１ユーザ端末２００ａを使用する登録ユーザの生体情報を提供条件として取得し、第２取得部１０３は、第２ユーザ端末２００ｂを使用する再生ユーザの生体情報を取得し、提供部１０４は、第１取得部１０１によって取得された生体情報と第２取得部１０３によって取得された生体情報との類似度に応じて提供処理を行う。
ここで、生体情報は、遺伝子に限らず、例えば虹彩（瞳）、顔、手のひら静脈、指紋、体臭などの、人間を生体の特徴によって識別可能なものであればどのようなものでもよい。生体情報が虹彩（瞳）、顔、手のひら静脈、指紋などの場合は、携帯可能なユーザ端末の撮像機能などによって取得可能であるから、登録ユーザの生体情報と再生ユーザの生体情報との類似度を判断する閾値を、それ以外の生体情報の場合よりも高くしてもよい。登録ユーザと直接的な人間関係のつながりがないために連絡手段がない再生ユーザに対して、例えばパスワードのような文字列の入力を提供条件とすることは容易ではないが、このような生体情報を用いるようにすれば、このような問題が解消されるため便利である。
【００３８】
[変形例７]
図９に示した「×」の登録位置から閾値である半径１００ｍの円形の範囲を音声データの再生可能エリアとしていたが、提供条件において、この閾値や音声データの再生可能エリアの形状を指定するようにしてもよい。
【００３９】
[変形例８]
実施形態では、第２ユーザ端末２００ｂの位置を測位してその測位された位置を提供条件の充足判断に用いていたが、第２取得部１０３が第２ユーザ端末２００ｂから取得する位置情報は、例えば第２ユーザ端末２００ｂに表示された地図上でユーザが指定した位置に基づく位置情報であってもよい。つまり、第２取得部１０３が第２ユーザ端末２００ｂから取得する位置情報が第２ユーザ端末２００ｂにおいてどのように生成されるかは問わない。
また、実施形態では、第１ユーザ端末２００ａの通知部２０２ａが測位を行って第１ユーザ端末２００ａの位置を示す位置情報を生成し、この位置情報をサーバ装置１００に通知していたが、例えば第１ユーザ端末２００ａを利用するユーザ（登録ユーザ）が、第１ユーザ端末２００ａに表示された地図上で、ユーザが存在する位置（第１ユーザ端末２００ａがある位置）とは異なる任意の位置を指定し、この位置情報をサーバ装置１００に通知してもよい。
【００４０】
[変形例９]
提供部１０４は、音声データに加えて、登録位置やその音声データに関する、音声以外のデータ（例えば登録位置に関する情報を記述したテキストデータや画像データ、音声データに関する情報を記述したテキストデータやその音声データをイメージさせるような画像データ）を提供してもよい。
【００４１】
[変形例１０]
実施形態においては、音声データが予め音声データベースに含まれており、第１ユーザ端末２００ａが位置情報と音声データの音声ＩＤをサーバ装置１００に登録するようになっていた。この登録時に音声データが音声データベースに含まれていない場合には、第１ユーザ端末２００ａが音声データをサーバ装置１００に送信してサーバ装置１００がこの音声データを音声データベースに登録するか、又は、第１ユーザ端末２００ａが音声データの音声ＩＤをサーバ装置１００に通知し、サーバ装置１００がこの音声ＩＤに基づいて所定のデータベースサーバ装置から音声データを取得して音声データベースに登録するようにしてもよい。
【００４２】
[変形例１１]
実施形態において、音声登録テーブル及び音声データのデータサイズが増えていくにつれて、サーバ装置１００の処理負荷が増大するとともに、莫大なデータによってサーバ装置１００の記憶容量が逼迫する可能性がある。そこで、音声登録テーブル及び音声データの各データについて、有効時間又は有効期限を指定する LifeTime が指定されるようにしておき、そのLifeTime によって示される有効期間又は有効期限が経過すると、これらのデータが消去されるようにしてもよい。この場合、第１ユーザ端末２００ａのユーザに対して課金を行うことで、この LifeTime によって示される有効期間又は有効期限を延長するようにしてもよい。さらに、再生された音声データを聴いた第２ユーザ端末２００ｂのユーザによる評価（例えば再生された音声が気に入ったら評価点を加点するなど）を経て、その評価点が高い音声データについてはLifeTime によって示される有効期間又は有効期限を延長するようにしてもよい。
【００４３】
[変形例１２]
サーバ装置１００の提供部１０４は、第２ユーザ端末２００ｂの通知部２０２ｂから通知された位置情報が示す位置を基準とした範囲に、音声データの登録位置が複数存在する場合、これらの登録位置にそれぞれ対応付けて記憶されている複数の登録音声ＩＤの音声データを第２ユーザ端末２００ｂに提供するようにしてもよい。この場合、第２ユーザ端末２００ｂの位置からみて、各々の登録位置からその音声データが聞こえてくるような音像定位処理を行ってもよい。つまり、第２ユーザ端末２００ｂにおいて複数のスピーカがある場合、第２ユーザ端末２００ｂが、サーバ装置１００の提供部１０４からの指示に従って各スピーカの音量バランスを制御することで、ユーザから見てそれぞれ異なる方向から別々の音声が聞こえてくるような処理を行う。
【００４４】
［変形例１３］
図４のユーザ管理テーブル及び図５の音声登録テーブルの内容によっては、次のようなことも実現可能である。
例えば、複数のチームが対戦するスポーツイベントに関する音声を提供するケースを想定する。再生ユーザは、自身が応援しているチーム（野球チームＡとする）を、図４のユーザ管理テーブルにおいて属性３（興味）として登録しておく。登録ユーザは野球チームＡを観戦している場所で、図５の音声登録テーブルにおいて、提供条件（時期）として、次に野球チームＡが同じ観戦場所で対戦を行う対戦時期を登録し、提供条件４（興味）として、野球チームＡを応援していることを登録する。このときの登録位置は、登録ユーザが野球チームＡを観戦している場所となる。そして、このとき登録される登録音声は、例えば野球チームＡの応援歌や、登録ユーザが野球チームＡの対戦を観戦したときの音声（対戦場所における応援時の歓声やざわめき）や、野球チームＡを応援している他のユーザに対するメッセージや伝言等である。このような登録をしておけば、再生ユーザが野球チームＡの対戦を観戦に行くと、野球チームＡの応援歌、野球チームＡの過去の観戦時の音声、或いは野球チームＡのファンに対するメッセージ等を聞くことが可能となる。なお、上記の例において、図５の音声登録テーブルに対する提供条件（時期）の登録、つまり、次に野球チームＡが対戦を行う対戦時期の登録は必ずしも必須ではない。
このような音声提供は、登録ユーザの第１ユーザ端末２００ａと再生ユーザの第２ユーザ端末２００ｂとの間において、ブルートゥース（登録商標）や近距離無線通信（ＮＦＣ：Near field radio communication）等の通信によって実現してもよい。
【００４５】
［変形例１４］
上記実施形態の説明に用いた図６のブロック図は機能単位のブロックを示している。これらの各機能ブロックは、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。従って、本発明に係る音声再生装置又は音声再生装置は、実施形態で説明したようにそれぞれの機能の全てを一体に備えた装置によっても実現可能であるし、それぞれの装置の機能を、さらに複数の装置に分散して実装したシステムであってもよい。また、上記実施形態で説明した処理の手順は、矛盾の無い限り、順序を入れ替えてもよい。実施形態で説明した方法については、例示的な順序で各ステップの要素を提示しており、提示した特定の順序に限定されない。
【００４６】
本発明は、音声再生装置又は音声再生装置が行う情報処理方法、或いは、音声再生装置又は音声再生装置としてコンピュータを機能させるためのプログラムといった形態でも実施が可能である。かかるプログラムは、光ディスク等の記録媒体に記録した形態で提供されたり、インターネット等の通信網を介して、コンピュータにダウンロードさせ、これをインストールして利用可能にするなどの形態で提供されたりすることが可能である。
【００４７】
ここで、本開示の実施形態を以下のようにまとめる。
【００４８】
（１）第１ユーザ端末から位置情報及び音声データの識別情報を取得する第１取得手段と、前記第１取得手段によって取得された位置情報及び音声データの識別情報を対応付けて記憶する記憶手段と、第２ユーザ端末から位置情報を取得する第２取得手段と、前記第２取得手段によって取得された位置情報が示す位置を基準とした範囲に含まれる位置を示す前記記憶手段に記憶された位置情報に対応付けて記憶されている前記識別情報の音声データを前記第２ユーザ端末に提供するための提供処理を行う提供手段と、を備えた音声データ提供装置を提供する。
【００４９】
（２）上記（１）に記載の音声データ提供装置において、前記第１取得手段は、前記識別情報の音声データを提供するときの提供条件を取得し、前記提供手段は、前記第１取得手段により取得された提供条件が満たされる場合に、前記第２ユーザ端末に対して前記提供処理を行う。
【００５０】
（３）上記（２）に記載の音声データ提供装置において、前記第１取得手段は、音声データの提供対象となる前記第２ユーザ端末を使用するユーザに関する前記提供条件を取得する。
【００５１】
（４）上記（２）又は（３）に記載の音声データ提供装置において、前記第１取得手段は、前記識別情報の音声データを提供する時期に関する前記提供条件を取得する。
【００５２】
（５）上記（６）に記載の音声データ提供装置において、前記第１取得手段は、前記第１ユーザ端末を使用するユーザの生体情報を取得し、前記第２取得手段は、前記第２ユーザ端末を使用するユーザの生体情報を取得し、前記提供手段は、前記第１取得手段によって取得された生体情報と前記第２取得手段によって取得された生体情報との類似度に応じて前記提供処理を行う。
【００５３】
（６）上記（１）〜（５）のいずれかに記載の音声データ提供装置において、前記第１取得手段は、前記第１ユーザ端末が移動した経路を示す複数の位置情報を取得し、前記提供手段は、前記第２取得手段によって取得された位置が前記経路に含まれる場合に前記提供処理を行う。
【００５４】
（７）上記（６）に記載の音声データ提供装置において、前記第２取得手段は、前記第２ユーザ端末が移動した経路を示す複数の位置情報を取得し、前記提供手段は、前記第１取得手段によって取得された複数の位置情報が示す経路と、前記第２取得手段によって取得された複数の位置情報が示す経路とが所定の度合いで一致する場合に前記提供処理を行う。
【００５５】
（８）上記（１）〜（７）のいずれかに記載の音声データ提供装置において、前記第２取得手段によって取得された位置情報が示す位置と前記記憶手段に記憶された位置情報が示す位置との関係に応じて、前記第２ユーザ端末を使用するユーザに対して、前記記憶手段に記憶された位置情報が示す位置への案内を行う案内手段を備える。
【００５６】
（９）上記（１）〜（８）のいずれかに記載の音声データ提供装置において、前記提供手段は、前記記憶手段に記憶された複数の位置情報のうち決められた複数の位置情報が前記第２ユーザ端末から取得されると、前記第２ユーザ端末を使用するユーザに対して特典を与えるための情報を当該第２ユーザ端末に提供する。
【００５７】
（１０）上記（１）〜（９）のいずれかに記載の音声データ提供装置において、前記提供手段は、前記記憶手段に前記位置情報及び前記識別情報が記憶されてから前記音声データを前記第２ユーザ端末に提供するための前記提供処理がなされるまでの期間に応じて当該音声データを変化させる。
【００５８】
（１１）上記（１）〜（１０）のいずれかに記載の音声データ提供装置において、前記提供手段は、音量を制御した前記音声データを前記第２ユーザ端末に提供するための処理を行う。
【００５９】
（１２）第１ユーザ端末から位置情報及び音声データの識別情報を取得する第１取得工程と、前記第１取得工程によって取得された位置情報及び音声データの識別情報を対応付けて記憶手段に記憶する記憶工程と、第２ユーザ端末から位置情報を取得する第２取得工程と、前記第２取得工程によって取得された位置情報が示す位置を基準とした範囲に、前記記憶手段に記憶された位置情報が示す位置が含まれているか判定する判定工程と、前記範囲に前記記憶手段に記憶された位置情報が示す位置が含まれている場合は、前記記憶手段に記憶された位置情報に対応付けられている前記音声データの識別情報の音声データを前記第２ユーザ端末に提供する提供工程と、を備えた音声データ提供方法を提供する。
【００６０】
（１３）上記（１２）に記載の音声データ提供方法において、前記第１取得工程は、前記識別情報の音声データを提供するときの提供条件を取得し、前記第１取得工程により取得された提供条件が満たされる場合に、前記第２ユーザ端末に対して前記提供工程を行う。
【００６１】
（１４）上記（１３）に記載の音声データ提供方法において、前記提供条件は、前記音声データの提供対象となる前記第２ユーザ端末を使用するユーザに関する条件である。
【００６２】
（１５）上記（１３）又は（１４）に記載の音声データ提供方法において、前記提供条件は、前記識別情報の音声データを提供する時期に関する条件である。
【００６３】
（１６）上記（１２）に記載の音声データ提供方法において、前記第１取得工程は、前記第１ユーザ端末を使用するユーザの生体情報を取得し、前記第２取得工程は、前記第２ユーザ端末を使用するユーザの生体情報を取得し、前記提供工程は、前記第１取得工程によって取得された生体情報と前記第２取得工程によって取得された生体情報との類似度に応じて前記音声データを前記第２ユーザ端末に提供する。
【００６４】
（１７）上記（１２）〜（１６）のいずれかに記載の音声データ提供方法において、前記第１取得工程は、前記第１ユーザ端末が移動した経路を示す複数の位置情報を取得し、前記提供工程は、前記第２取得工程によって取得された位置が前記経路に含まれる場合に前記音声データを前記第２ユーザ端末に提供する。
【００６５】
（１８）上記（１７）に記載の音声データ提供方法において、前記第２取得工程は、前記第２ユーザ端末が移動した経路を示す複数の位置情報を取得し、前記第１取得工程によって取得された複数の位置情報が示す経路と、前記第２取得工程によって取得された複数の位置情報が示す経路とが所定の度合いで一致する場合に前記提供処理を行う。
【００６６】
（１９）上記（１２）〜（１８）のいずれかに記載の音声データ提供方法において、前記第２取得工程によって取得された位置情報が示す位置と前記記憶手段に記憶された位置情報が示す位置との関係に応じて、前記第２ユーザ端末を使用するユーザに対して、前記記憶手段に記憶された位置情報が示す位置への案内を行う案内工程をさらに備える。
【００６７】
（２０）上記（１２）〜（１９）のいずれかに記載の音声データ提供方法において、前記提供工程は、前記記憶手段に記憶された複数の位置情報のうち決められた複数の位置情報が前記第２ユーザ端末から取得されると、前記第２ユーザ端末を使用するユーザに対して特典を与えるための情報を当該第２ユーザ端末に提供する。
【００６８】
（２１）上記（１２）〜（２０）のいずれかに記載の音声データ提供方法において、前記提供工程は、前記記憶手段に前記位置情報及び前記識別情報が記憶されてから前記音声データを前記第２ユーザ端末に提供するまでの期間に応じて当該音声データを変化させる。
【００６９】
（２２）上記（１２）〜（２１）のいずれかに記載の音声データ提供方法において、前記提供工程は、音量を制御した前記音声データを前記第２ユーザ端末に提供するための処理を行う。
【００７０】
本出願は、２０１６年１１月８日に出願された日本特許出願（特願２０１６−２１８２４１）及び２０１７年１０月３１日に出願された日本特許出願（特願２０１７−２１０５２５）に基づくものであり、ここに参照として取り込まれる。
【産業上の利用可能性】
【００７１】
本発明によれば、登録ユーザは所望する音声を自身が所望する位置で他のユーザに聴いてもらうことに面白みを感じることができ、一方、再生ユーザは自身の位置で他のユーザが意図的に登録した音声を聴くことに面白みを持つなど、登録ユーザと再生ユーザとが時間を隔てながらも位置に応じた音声を通じて関係性を持つ仕組みを実現できるため有用である。
【符号の説明】
【００７２】
１００  サーバ装置
１１  制御部
１２  通信部
１３  記憶部
１０１  第１取得部
１０２  記憶部
１０３  第２取得部
１０４  提供部
２００ａ  第１ユーザ端末
２１ａ  制御部
２２ａ  通信部
２３ａ  記憶部
２４ａ  再生部
２５ａ  測位部
２６ａ  ＵＩ部
２０１ａ  指定部
２０２ａ  通知部
２００ｂ  第２ユーザ端末
２０１ｂ  指示部
２０２ｂ  通知部
２０３ｂ  再生部
９００  ネットワーク
【図１】
0006674557.tif 000002
【図２】
0006674557.tif 000003
【図３】
0006674557.tif 000004
【図４】
0006674557.tif 000005
【図５】
0006674557.tif 000006
【図６】
0006674557.tif 000007
【図７】
0006674557.tif 000008
【図８】
0006674557.tif 000009
【図９】
0006674557.tif 000010